(57)【特許請求の範囲】
【請求項１】
セレクション弁１の下部にフランジ結合用のねじ部２が形成され、上記ねじ部２にはフランジ３が締結されて管路のフランジ４と結合されるものにおいて、
上記セレクション弁１のねじ部２は、ガス圧力の大、小如何に関係なく高圧力のものを受容することができるように長く形成し、上記フランジ３の厚さを高圧力と低圧用のものに各々規格化し、
上記ねじ部２にはガス圧力の大小如何によって間隔調整リング５を選択結合して構成したことを特徴とするセレクション弁のフランジ結合構造。
【発明の詳細な説明】
【０００１】
【発明の属する技術分野】
本発明は、セレクション弁のフランジ結合構造に関するものであって、より詳細には消火用管路に設けられるセレクション弁のフランジ結合構造を改善して建物の面積および大きさによって差別設置される消火用ガス容器、すなわちガス圧力によって選択締結されるセレクション弁を一つのものとして構成して汎用使用および互換使用を可能にすることにより、作業性を向上させ、セレクション弁の破裂によるガス事故を予防することができるようしたセレクション弁のフランジ結合構造に関する。
【０００２】
【従来の技術】
一般的に消火用セレクション弁は、建物構築の際、その建物の面積と大きさを勘案して採択される消火用ガス容器のガス圧力によって大、小に区分されて管路の分岐部に設けられる。
【０００３】
上記セレクション弁に対する構造を簡単に察して見ると、ボディの内部に上昇可能なプランジャが設けられ、外側上部にはアクチュエータが設けられて開放用圧縮ガスにより前記アクチュエータが作動すると、その作動により作動子を角変位させることにより上記プランジャの上部面を弾持しているストッパを解除し、このとき、上記プランジャが上昇作動の待機状態を維持することになる。また、上記セレクション弁の下部には一定な長さでねじ部が形成されているが、これは上部外面に多数の結合穴が等間隔に形成された一定の厚さのフランジがねじ結合されて管路に形成されたフランジとボルト結合される形態で締結される。
【０００４】
上記のフランジは、ガス容器の大きさまたはガス圧力によって通常、６００ＬＢＳ用と９００ＬＢＳ用とに区分されており、上記フランジが結合されるセレクション弁もやはり上記のガス圧容量と同様に締結しなければならない。
【０００５】
上記のセレクション弁およびフランジの容量区別において、上記セレクション弁の外型および構造は同一であり、その大きさも同一であるが、ただ単に、セレクション弁の下部に形成されたねじ部の長さとこれに結合されるフランジの厚さが相違する程度に過ぎないので、現場での作業時、その識別に相当な注意を要する。
【０００６】
例を挙げて説明すると、ガス圧力が高い管路とセレクション弁にガス圧力が低い、すなわち厚さの薄いフランジが誤結合された場合、上記フランジがセレクション弁のねじ部の端まで締結されない不安定な状態で結合されるので、その接合部の締結力が低下して給送されるガス圧力により破裂するおそれがある。容量が合わない上記のフランジをねじ部の端まで完全に締結すると、長さの長いねじ部がフランジの下部へ貫通されて突出されるようになるので、管路に形成されたフランジとの締結がなされなくなり、これを無視し、管路のフランジと締結を敢行すると、接合部の締結力低下の問題のみならず気密維持性にも問題が発生する。
【０００７】
これとは反対に、相対的な低圧のガス管路とセレクション弁のねじ部に厚さの厚い高圧のフランジを結合して締結する場合、ねじ部の長さが短いので、その締結部分がフランジのねじ部に及ぼさないという不安定な結合状態を誘発して、やはり接合部の締結力低下によるセレクション弁の破裂が憂慮されるという問題がある。
【０００８】
このようなことは、その製作においても規格別に別途製作しなければならないので、作業性および生産性が低下され、各々の包装作業時にも混同が生じないように相当の注意を要している。
【０００９】
【発明が解決しようとする課題】
本発明は、上記のような従来のセレクション弁のフランジ結合構造にて惹起される諸般問題を解消し、これを改善するために案出されたもので、これを提供する目的は、消火用管路に設けられるセレクション弁のフランジ結合構造を改善して建物の面積および大きさによって差別設置される消火用ガス容器、すなわちガス圧力によって選択締結されるセレクション弁を一つのものとして構成して汎用使用および互換使用を可能にすることにより、作業性を向上させ、セレクション弁の破裂によるガス事故を予防することができるようにすることにある。
【００１０】
【課題を解決するための手段】
上記の目的を達成するために、本発明ではガス圧力によって互換および汎用使用が可能にセレクション弁の下部に形成されるねじ部を長く形成し、これに結合されるフランジを高圧用と低圧用に規格化してガス圧が小圧である場合に間隔調節リングを嵌めて結合することにより可能とならしめる。本発明は添付された図１および図２にて見られるように、セレクション弁１の下部にフランジ結合用ねじ部２が形成され、上記ねじ部２にはフランジ３が締結されて管路のフランジ４と結合されるものにおいて、
上記セレクション弁１のねじ部２は、ガス圧力の大小如何に関係なく高圧力のものを収容することができるように長く形成し、上記フランジ３の厚さを高圧力と低圧用のものにそれぞれ規格化し、
上記ねじ部２には、ガス圧力の大小の如何によって間隔調節リング５を選択結合して成っている。
【００１１】
【発明の実施の形態】
図１および図２は、本発明の実施の一形態の断面図である。図中、２１はセレクション弁１のねじ部２の上端に形成された掛け顎部を示している。本発明の実施の一形態の構成は、前述のとおりである。このような構造から成る本発明の作用を説明すると、次のとおりである。先ず、これを製作する場合、上記セレクション弁１の下部に形成されるねじ部２を大きいガス圧力を収容することができるように、その長さを長く形成して規格化することにより、一つの製作ラインで製造、製作すれば良いので、従来、二重に具備しなければならなかったセレクション弁１の製作ラインを一つとすることができ、それによる作業性および生産性を大幅に向上させることができる。
【００１２】
また、上記の間隔調整リング５は、上記セレクション弁１が小さいガス圧力の管路に形成されたフランジ４と結合される場合に備えて、その残りの余裕分の厚さを有するように規格化して量産し、既に規格化されている各々のフランジ３を別途包装すれば良いので、その包装作業時の手間が従来のものに比べて半減される利点を提供する。このような構造のものを管路に設置する場合、大きい圧力を有する管路に設けるときには、包装ケースから間隔調整リング５を除いて通常のセレクション弁１の設置作業と順序によって締結設置すればよいので、誤結合の心配が全くなしにセレクション弁１を管路に設置することができる（図１参照）。
【００１３】
これとは反対に、小さいガス圧力の管路に設けられる場合、セレクション弁１のねじ部２に間隔調整リング５を先ず嵌め込んでねじ部２の上部掛け顎部２１に支えさせることにより、それ以上上昇しないようにし、このような状態で上記のフランジ３をねじ締結した後、管路のフランジ４と結合させれば良いので、長さの長いセレクション弁１のねじ部２がフランジ３の下部へ貫通されて突出するおそれもなく、その締結作業も簡易である。
【００１４】
本発明の上述の構成によれば、作業者が作業現場で一つの包装ケースに包装、移送されて来た上記のセレクション弁１の結合体をその管路、すなわちガス圧の大、小のみを区分して上記間隔調整リング５を選択、結合する形態で設置するようになっているため、誤結合の可能性が半減することになる。もちろん、未熟な作業者によりガス圧の大、小を区別しないまま締結するおそれはあるが、万一、誤結合された場合でも、セレクション弁１自体を再購入するとか交換する煩わしさなしに、これを現場で簡単に分解して間隔調整リング５を除去するかまたは嵌め込んで再結合すればよいので、その設置作業にかかる便利性および作業性が大幅に向上するようになる。
【００１５】
【発明の効果】
本発明によれば、消火用管路に設けられるセレクション弁のフランジ結合構造を改善して建物の面積および大きさによって差別設置される消火用ガス容器、すなわち、ガス圧力によって選択締結されるセレクション弁を一つのものとして構成して汎用使用および互換使用を可能にすることにより、作業性を向上させ、セレクション弁の破裂によるガス事故を予防することができる等、非常に有益な効果を提供する。
【図面の簡単な説明】
【図１】本発明が高いガス圧力の管路に設けられる例を示した断面図である。
【図２】本発明が低いガス圧力の管路に設けられる例を示した断面図である。
【符号の説明】
１  セレクション弁
２  ねじ部
３，４  フランジ
５  間隔調整リング
【図１】
0004273176.tif 000002
【図２】
0004273176.tif 000003